【事件の表示】
　特願２０１４−　４９５１２「カラー表示装置及び方法」拒絶査定不服審判事件〔平成２６年　６月１９日出願公開、特開２０１４−１１２２６１〕について、次のとおり審決する。
【結　論】
　本件審判の請求は、成り立たない。
【理　由】
第１　手続の経緯
　本願は、平成１３年６月７日（優先権主張　平成１２年６月７日）を国際出願日とする出願である特願２００２−５０２７６０号（以下、「原出願」という。）の一部を平成２６年３月１２日に新たな特許出願としたものであって、平成２７年１月９日付けの拒絶理由通知に対して平成２７年３月２３日に意見書が提出されたが、平成２７年８月７日付けで拒絶査定がなされ、これに対し、平成２７年１１月２５日に拒絶査定不服審判が請求されると同時に手続補正がなされたものである。
第２　平成２７年１１月２５日にされた手続補正についての補正の却下の決定
[補正の却下の決定の結論]
平成２７年１１月２５日にされた手続補正（以下、「本件補正」という。）を却下する。　
［理由］
１　本件補正
　本件補正は、特許請求の範囲の請求項１について、本件補正前に、
（１）　「【請求項１】
　赤、緑、青の３色の光源の点滅と、これら３色の光源の点滅に同期して各色のデ−タを表示する表示素子との組み合わせによりカラー表示を行うカラー表示装置において、
　前記各色の１回のデ−タ表示期間を全て等しくすると共に、前記３色の光源の１回の点灯時間を前記データ表示期間の半分として前記データ表示期間の後半に前記３色の光源を点灯し、
　前記赤のデ−タ表示期間から次の前記赤のデ−タ表示期間までの間に、前記緑のデ−タ表示期間を２回設け、動作温度範囲を拡大してもユ−ザがフリッカーを感じ難くすることを特徴とするカラー表示装置。」
とあったところを、
（２）　「【請求項１】
　赤、緑、青の３色の光源の点滅と、これら３色の光源の点滅に同期して各色の
表示
　
動作温度範囲を拡大すると前記表示素子の応答が遅くなる特性を持ち、
　前記各色の１回のデ−タ表示期間を全て等しくすると共に、前記３色の光源の１回の点灯時間
を、前記データ表示期間の前半に表示素子が動作温度範囲を拡大しても応答する時間を確保するために前記３色の光源の全てを消灯し、
前記表示データの色に合わせて
　前記赤のデ−タ表示期間から次の前記赤のデ−タ表示期間までの間に、前記緑のデ−タ表示期間を２回設け、動作温度範囲を拡大してもユ−ザがフリッカーを感じ難くすることを特徴とするカラー表示装置。」
とすることを含むものである（下線は、補正箇所を示す）。
２　補正の適否
　本件補正は、
ア　本件補正前の請求項１に記載した発明を特定するために必要な事項である「データ」について、「
表示
イ　本件補正前の請求項１に記載した発明を特定するために必要な事項である「表示素子」について、「
動作温度範囲を拡大すると前記表示素子の応答が遅くなる特性を持ち
ウ　本件補正前の請求項１に「前記３色の光源の１回の点灯時間を前記データ表示期間の半分として」とあったところを、「前記データ表示期間の半分として」を削除して、「前記３色の光源の１回の点灯時間を」と補正し、
エ　本件補正前の請求項１に記載した発明を特定するために必要な事項である「赤、緑、青の３色の光源の点滅」について、「
前記データ表示期間の前半に表示素子が動作温度範囲を拡大しても応答する時間を確保するために前記３色の光源の全てを消灯し
オ　本件補正前の請求項１に「前記データ表示期間の後半に前記３色の光源を点灯し」とあったところを、「前記データ表示期間の後半に前記３色の光源を
前記表示データの色に合わせて
　上記ア、イ，エ及びオに係る補正は、特許法第１７条の２第４項第２号（特許請求の範囲の減縮）に掲げる事項を目的とするものである。
　そこで、上記ウに係る補正の適否について検討すると、本件補正前の請求項１では、「３色の光源の１回の点灯時間」の長さを「データ表示期間の半分」とすることが発明を特定するために必要な事項として記載されていたところ、本件補正後の請求項１では、「３色の光源の１回の点灯時間」の長さについて発明を特定するために必要な事項でないものとなっている。この補正により、本件補正前の請求項１では、「３色の光源の１回の点灯時間」が「データ表示期間の半分」であるが、本件補正後の請求項１では、「３色の光源の１回の点灯時間」が「データ表示期間の半分」以外のものも含むように、請求項１の記載が拡張されていることがわかる。
　よって、上記ウに係る補正は、特許法第１７条の２第４項第２号（特許請求の範囲の減縮）に掲げる事項を目的とするものではない。
　また、上記ウに係る補正は、特許法第１７条の２第４項第１号（請求項の削除）、第３号（誤記の訂正）、第４号（明瞭でない記載の釈明）に掲げる事項を目的とするものでもない。
　以上のとおり、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。 
  
　仮に、本件補正が、特許法第１７条の２第４項第２号（特許請求の範囲の減縮）に掲げる事項を目的とするものであるとして、本件補正後の請求項１に係る発明（以下、「本願補正発明」という。）が特許出願の際独立して特許を受けることができるものであるか（特許法第１７条の２第５項において準用する同法第１２６条第５項の記載に適合するか否か）について以下に検討する。 
（１）本願補正発明
　本願補正発明は、上記「１（２）」に記載したとおりのものである。
（２）引用例、周知例及びその記載事項
ア　原査定の拒絶の理由で引用された、本願の優先日前に頒布された刊行物である、特開平１１−３３８４２３号公報（以下、「引用例」という。）には、図面とともに、次の事項が記載されている（下線は、当審で付与したものである。）。
「【００４６】
従来技術におけるカラー順次方式の液晶ディスプレイは
赤（Ｒ），緑（Ｇ），青（Ｂ）各色毎に順次標示を行い、少なくとも３色をもって一枚の絵を完結するカラー表示方法
単色がフレーム周波数で点滅する
【００４７】図２を例にした場合に、一枚の完結した画面を表示するための、赤（Ｒ），緑（Ｇ），青（Ｂ）の集合としての「最小繰り返し単位」は、「フレーム」と呼ばれる（以下、ここでの用語「フレーム」の意味は、図６に関する説明においても同じである）。ここで、一枚の完結した画面を表示するために要する時間をＴｆとしたとき、１／Ｔｆは、「フレーム周波数」と呼ばれる。
カラー順次方式において、赤（Ｒ），緑（Ｇ），青（Ｂ）各色の表示は、夫々の「フィールド」と呼ばれる。
「【００５０】
カラーフィールド順次方式表示装置において、Ｒ，Ｇ，Ｂを順次表示してちらつきを感じさせないためには、最も被験者にとって感受性の高い緑（Ｇ）のＣＦＦをもって駆動する必要があり、
「【００８０】カラーフィルタ無パネルでの構成例
カラーフィルタ無しのパネル（白黒パネル）を使用してカラーフィールド順次駆動を行なう
２１０ａ〜２１０ｃ，２２０はＰＣシステム側に用意したビデオラムとビデオ・コントローラである。２３０〜２５０、２７０はＬＣＤモジュールの主な構成要素である。
【００８１】ここで、これらの構成要素を説明すると、
２１０ａ  ：  緑（Ｇ）色ビデオ用のビデオラム（ＶＲＡＭ）である。
２１０ｂ  ：  赤（Ｒ）色ビデオ用のビデオラム（ＶＲＡＭ）である。
２１０ｃ  ：  青（Ｂ）色ビデオ用のビデオラム（ＶＲＡＭ）である。
【００８２】
２２０    ：  ビデオ・コントローラであり、ＬＣＤモジュールに対して、同期制御信号用の出力チャネル２２２と、ビデオ・データ信号用の出力チャネル
と、を有する。
２３０    ：  ＬＣＤコントローラであり、ソース・ドライバ２４０とゲート・ドライバ２５０とを制御するものである。
【００８３】
２４０    ：  ソース・ドライバであり、
１つの画素を兼用してＲ／Ｇ／Ｂ用に利用するので、必要な出力数は１／３になる。
２５０    ：  ゲート・ドライバであり、通常のドライバを使用できる。動作は通常通りのものである。
２７０    ：  白黒用ＴＦＴアレイである。図１の画素１０を３つのサブ画素に分ける必要がなく、カラーフィルタも無いため、光の透過率が高い構造にすることができる。
【００８４】各部の信号
図１６に
ビデオ・コントローラ２２０の出力信号を示す。図はリフレッシュの１サイクル分（フレーム０〜３(Frame〜0 Frame 3)の４フレーム）を示す。
色をフレーム単位で切り換えながら転送を行なう。
各色のフレーム周波数は１８０Ｈｚまで可能となる。
【００８５】本発明を適用して、
Ｒ，Ｇ，Ｂ，Ｇの順でリフレッシュを行なう場合、Ｒ，Ｂのリフレッシュを３０Ｈｚに設定すると（Ｇは２倍の６０Ｈｚとなり、フリッカは悪化しない）、１フレーム期間は１／（３０×４）［秒］となる。このとき、最大転送速度（１８０Ｈｚの場合の転送速度）でデータ転送と液晶への書き込みを行なうと、各フレームの垂直ブランキング期間は、１／（３０×４）−１／１８０［秒］、約２．８ｍＳになり、この期間を液晶の応答時間やバックライトの発光のための余裕時間として利用できる。
【００８６】図１７にＬＣＤコントローラ２３０の出力信号、すなわち、ソース・ドライバ２４０へのデータ出力を示す。ゲート・ドライバ２５０の制御は通常通りなのでここでは省略する。
ソース・ドライバ２４０へは、ビデオ・コントローラ２２０からのビデオ信号をそのまま転送する。
【００８７】以上、「サブ画素の構成」としては、図１に示すような一単位となる画素１０をＲＧＢ各色に３つ（Ｒ原色サブ画素が１１、Ｇ原色サブ画素が１２、Ｂ原色サブ画素が１３）に垂直方向に区切るストライプ配列を紹介してきたが、これらを水平方向に区切るストライプ配列に応用することも当業者にとっては容易である。さらには、モザイク配列（ダイアゴナル配列）、デルタ配列（トライアングル配列）に適用することも当業者にとっては容易である。
【００８８】また、本実施例においては、
アクティブマトリックス駆動が可能なＴＦＴ (Thin Film Transistor)アレイ構造
「【図１５】
カラーフィルタ無パネルにおいて、
緑（Ｇ）ビデオのリフレッシュレートを高くしたまま、赤（Ｒ）／青（Ｂ）ビデオのリフレッシュレートを低下させることができる、ＬＣＤモジュール、ビデオ・サブシステムを含むＰＣシステム
　上記記載から、引用例には、次の技術的事項が記載されていると認められる。
（ア）　段落【００８０】及び【図面の簡単な説明】【図１５】より、
「カラーフィルタ無しのパネル（白黒パネル）を使用してカラーフィールド順次駆動を行ない、緑（Ｇ）ビデオのリフレッシュレートを高くしたまま、赤（Ｒ）／青（Ｂ）ビデオのリフレッシュレートを低下させることができる、ＬＣＤモジュール、ビデオ・サブシステムを含むＰＣシステム。」
　との技術事項を読み取ることができる。
（イ）　段落【００８０】、【００８２】及び【００８３】より、
「ビデオラムとビデオ・コントローラがＰＣシステム側に用意され、ＬＣＤコントローラ、ソース・ドライバ、ゲート・ドライバ、及び白黒用ＴＦＴアレイがＬＣＤモジュールの主な構成要素である。」
　との技術事項を読み取ることができる。
（ウ）　段落【００８８】より、
「ＴＦＴ (Thin Film Transistor)アレイ構造は、アクティブマトリックス駆動が可能である。」
　との技術事項を読み取ることができる。
（エ）　段落【００８１】より、
「ビデオラム（ＶＲＡＭ）は、緑（Ｇ）色ビデオ用、赤（Ｒ）色ビデオ用、及び青（Ｂ）色ビデオ用のビデオラム（ＶＲＡＭ）である。」
　との技術事項を読み取ることができる。
（オ）　段落【００８２】より、
「ビデオ・コントローラは、ＬＣＤモジュールに対して、同期制御信号用の出力チャネル２２２と、ビデオ・データ信号用の出力チャネルと、を有する。」
　との技術事項を読み取ることができる。
（カ）　段落【００８２】及び【００８６】より、
「ＬＣＤコントローラは、ソース・ドライバ２４０とゲート・ドライバ２５０とを制御し、ソース・ドライバ２４０へは、ビデオ・コントローラ２２０からのビデオ信号をそのまま転送する。」
　との技術事項を読み取ることができる。
（キ）　段落【００８３】より、
「ソース・ドライバは、１つの画素を兼用してＲ／Ｇ／Ｂ用に利用するので、必要な出力数は１／３になる。」
　との技術事項を読み取ることができる。
（ク）　段落【００８３】より、
「ゲート・ドライバは、通常のドライバを使用でき、動作は通常通りのものであり、白黒用ＴＦＴアレイは、画素１０を３つのサブ画素に分ける必要がなく、カラーフィルタも無いため、光の透過率が高い構造にすることができる。」
　との技術事項を読み取ることができる。
（ケ）　段落【００８４】より、
「ビデオ・コントローラ２２０の出力信号におけるリフレッシュの１サイクル分は、フレーム０〜３の４フレームであり、色をフレーム単位で切り換えながら転送を行ない、各色のフレーム周波数は１８０Ｈｚまで可能となる。」
　との技術事項を読み取ることができる。
（コ）　段落【００８５】より、
「Ｒ，Ｇ，Ｂ，Ｇの順でリフレッシュを行なう場合、Ｒ，Ｂのリフレッシュを３０Ｈｚに設定すると（Ｇは２倍の６０Ｈｚとなり、フリッカは悪化しない）、１フレーム期間は１／（３０×４）［秒］となり、このとき、最大転送速度（１８０Ｈｚの場合の転送速度）でデータ転送と液晶への書き込みを行なうと、各フレームの垂直ブランキング期間は、１／（３０×４）−１／１８０［秒］、約２．８ｍＳになり、この期間を液晶の応答時間やバックライトの発光のための余裕時間として利用できる。」
　との技術事項を読み取ることができる。
　上記（ア）〜（コ）より、引用例には、次の発明（以下、「引用発明」という。）が記載されている。
「カラーフィルタ無しのパネル（白黒パネル）を使用してカラーフィールド順次駆動を行ない、緑（Ｇ）ビデオのリフレッシュレートを高くしたまま、赤（Ｒ）／青（Ｂ）ビデオのリフレッシュレートを低下させることができる、ＬＣＤモジュール、ビデオ・サブシステムを含むＰＣシステムであって、
　ビデオラムとビデオ・コントローラがＰＣシステム側に用意され、ＬＣＤコントローラ、ソース・ドライバ、ゲート・ドライバ、及び白黒用ＴＦＴアレイがＬＣＤモジュールの主な構成要素であり、
　ＴＦＴ (Thin Film Transistor)アレイ構造は、アクティブマトリックス駆動が可能であり、
　ビデオラム（ＶＲＡＭ）は、緑（Ｇ）色ビデオ用、赤（Ｒ）色ビデオ用、及び青（Ｂ）色ビデオ用のビデオラム（ＶＲＡＭ）であり、
  ビデオ・コントローラは、ＬＣＤモジュールに対して、同期制御信号用の出力チャネル２２２と、ビデオ・データ信号用の出力チャネルと、を有し、
　 ＬＣＤコントローラは、ソース・ドライバ２４０とゲート・ドライバ２５０とを制御し、ソース・ドライバ２４０へは、ビデオ・コントローラ２２０からのビデオ信号をそのまま転送し、
　ソース・ドライバは、１つの画素を兼用してＲ／Ｇ／Ｂ用に利用するので、必要な出力数は１／３になり、
  ゲート・ドライバは、通常のドライバを使用でき、動作は通常通りのものであり、
　白黒用ＴＦＴアレイは、画素１０を３つのサブ画素に分ける必要がなく、カラーフィルタも無いため、光の透過率が高い構造にすることができ、
  ビデオ・コントローラ２２０の出力信号におけるリフレッシュの１サイクル分は、フレーム０〜３の４フレームであり、色をフレーム単位で切り換えながら転送を行ない、各色のフレーム周波数は１８０Ｈｚまで可能となり、
　Ｒ，Ｇ，Ｂ，Ｇの順でリフレッシュを行なう場合、Ｒ，Ｂのリフレッシュを３０Ｈｚに設定すると（Ｇは２倍の６０Ｈｚとなり、フリッカは悪化しない）、１フレーム期間は１／（３０×４）［秒］となり、このとき、最大転送速度（１８０Ｈｚの場合の転送速度）でデータ転送と液晶への書き込みを行なうと、各フレームの垂直ブランキング期間は、１／（３０×４）−１／１８０［秒］、約２．８ｍＳになり、この期間を液晶の応答時間やバックライトの発光のための余裕時間として利用できる、
　ＬＣＤモジュール、ビデオ・サブシステムを含むＰＣシステム。」
イ　本願の優先日前に頒布された刊行物である、特開平８−１７１０８４号公報（以下、「周知例１」という。）には、図面とともに、次の事項が記載されている（下線は、当審で付与したものである。）。
「【０００３】
【発明が解決しようとする課題】ところで、
このような液晶表示装置における液晶の温度に対する応答時間は、例えば図７に示すようになり、温度が低くなる程応答時間が長くすなわち応答速度が遅くなっている。
ウ　本願の優先日前に頒布された刊行物である、特開平４−３６６８８８号公報（以下、「周知例２」という。）には、次の事項が記載されている（下線は、当審で付与したものである。）。
 「【０００２】
【従来の技術】例えば英国特許公報ＧＢ２１７２７３３Ａ、ヨ−ロッパ特許公報０３０１７１５、およびヨ−ロッパ特許公報０２６１８９６に記載されているような
色順次液晶表示装置
表示をバックライトするための光源をスイッチオフした状態で、
原色の１つの完全なフィ−ルドが液晶表示装置（ＬＣＤ）に書込まれる。該当する色の光源が短い時間のあいだ付勢され、
光透過状態にセットされたそのＬＣＤのピクセル要素
【０００３】従って、１つのカラ−画像を与えるためには、全体の表示に対する画像情報がフレ−ム周期（一般に２０ミリ秒）当り３回書込まれなければならず、書込み動作の間の時間的ギャップに、該当する色のランプが付勢される。
【０００４】通常は、
三原色が表示のためのカラ−画像を構成するために用いられ、そして各フレ−ム周期が３つの時間的セグメントに分割され、その時間的セグメントはそれぞれ各原色に割当てられ、各時間的セグメント内でそれぞれ書込みおよび照明のために利用可能な時間は通常３：１の比で割当てられる。
　上記記載より、次の事項が記載されているといえる。
　「三原色が表示のためのカラ−画像を構成するために用いられ、そして各フレ−ム周期が３つの時間的セグメントに分割され、その時間的セグメントはそれぞれ各原色に割当てられ、各時間的セグメント内でそれぞれ書込みおよび照明のために利用可能な時間は通常３：１の比で割当てられ【０００４】、表示をバックライトするための光源をスイッチオフした状態で、原色の１つのフィ−ルドが液晶表示装置（ＬＣＤ）に書込まれてＬＣＤのピクセル要素が光透過状態にセットされ、該当する色の光源が短い時間のあいだ付勢される、色順次液晶表示装置（【０００２】）。」
ウ　本願の優先日前に頒布された刊行物である、沖田　雅也、フィールド・シーケンシャル・フルカラーＬＣＤ、月刊ディスプレイ、株式会社テクノタイムズ社、1998年07月01日、第４巻、第７号、ｐ．１１−１６（以下、「周知例３」という。）には、次の事項が記載されている（下線は、当審で付与したものである。）。
「３．３高速液晶パネル
　３色バックライト方式において課題となる高速液晶パネルは，従来に較べて桁違いに速い応答速度を要求される。３色バックライト方式において，赤フィールド，緑フィールド，青フィールドの３フィールドを合わて１フレームとする。ブリッカーを感じないフレーム周波数として６０Ｈｚを設定して以下の計算を行う。カラーフィルタ方式における応答速度の測定では，１０％−９０％の様に，完全に安定した状態での時間を定義していない。しかしながら，３色バックライト方式では，前色フィールドの残像が現色フィールドに残った状態でバックライトが点灯すると，色が濁ってしまう。従って，
バックライトの消灯時間の間に，前色フィールドの残像が完全に消えている必要がある。
１色フィールド期間は約５．６ミリ秒となる。バックライトの点灯時間を色フィールド期間の半分とした場合，液晶パネルは２．８ミリ秒で完全に応答する必要がある。
「３．４高速３色バックライト
　３色バックライト方式において課題となるバックライトは，従来に較べて桁違いに速い応答速度を要求される。前述のように
１色フィールド期間が５．６ミリ秒で，点灯時間が半分の２．８ミリ秒しかないため，
（３）　対比
　本願補正発明と引用発明とを対比する。
ア　引用発明では、「ＰＣシステム側」の「ビデオコントローラ２２０」は「色をフレーム単位で切り替えながら転送」を行ない、「ＬＣＤコントローラ」は、「ビデオ・コントローラ２２０からのビデオ信号」を「ソース・ドライバ」に「そのまま転送し」、「ソース・ドライバは、１つの画素を兼用してＲ／Ｇ／Ｂ用に利用するので、必要な出力数は１／３」なり、「カラーフィルタ無しのパネル（白黒のパネル）」、つまり「画素１０を３つのサブ画素に分ける必要がなく、カラーフィルタも無いため、光の透過率が高い構造」の「白黒用ＴＦＴ」を用いて、「アクティブマトリックス駆動」による「液晶への書き込み」と、「バックライトの発光」とにより、「カラーフィールド順次駆動を行」なっている。
　つまり、引用発明では、「白黒用ＴＦＴ」を用い、「色をフレーム単位で切り替えながら転送」された「ビデオ信号」で、「Ｒ／Ｇ／Ｂ用」に「兼用」される「１つの画素」に対し、「アクティブマトリックス駆動」によって「液晶への書き込み」をし、「バックライト」を「発光」させて「カラーフィールド順次駆動を行」なっている。
　そして、引用例１の段落【００４６】に記載されているとおり、「従来技術におけるカラー順次方式の液晶ディスプレイ」とは、「赤（Ｒ），緑（Ｇ），青（Ｂ）各色毎に順次標示を行い、少なくとも３色をもって一枚の絵を完結するカラー表示方法」（当審注：「標示」は「表示」の誤記である。）であって、各「単色」は、「フレーム周波数で点滅する」ものであることを踏まえれば、「Ｒ／Ｇ／Ｂ用」に「兼用」される「１つの画素」に対し、「アクティブマトリックス駆動」によって「液晶への書き込み」をし、「バックライト」を「発光」させて「カラーフィールド順次駆動を行」なっている引用発明において、「バックライト」は、赤（Ｒ），緑（Ｇ），青（Ｂ）の各色ごとの発光が可能である必要のあること、及び、赤（Ｒ），緑（Ｇ），青（Ｂ）の各色に対応する「１フレーム期間」（カラーフィールド順次駆動における、１フィールド期間に相当する。以下同じ。）に、「バックライト」が対応する各色で発光（点滅）し、色毎の表示がなされていることは自明なことであるといえる。
　よって、引用発明における「バックライト」が、本願補正発明における「赤、緑、青の３色の光源」に相当するといえる。
　また、引用発明における「フレーム単位で切り替えながら転送を行」なわれる、「赤（Ｒ）ビデオ用」，「」緑（Ｇ）ビデオ用」，「青（Ｂ）ビデオ用」の各ビデオ信号が、本願補正発明における「各色の表示デ−タ」に相当するといえる。
　さらに、引用発明における「白黒用ＴＦＴ」（１つの画素を兼用してＲ／Ｇ／Ｂ用に利用する）を用いて「アクティブマトリックス駆動」される「液晶」を構成要素とする「ＬＣＤモジュール」は、「カラーフィールド順次駆動を行」なうものであって、赤（Ｒ），緑（Ｇ），青（Ｂ）の各色に対応する「１フレーム期間」に、「バックライト」が対応する各色で発光（点滅）し、色毎の表示がなされていることは明らかであるから、本願補正発明における「赤、緑、青の３色の光源の点滅と、これら３色の光源の点滅に同期して各色の表示デ−タを表示する表示素子との組み合わせによりカラー表示を行うカラー表示装置」に相当するといえる。
　
イ  上記「ア」で述べたとおり、引用発明における「アクティブマトリックス駆動」の「ＬＣＤモジュール」は、赤（Ｒ），緑（Ｇ），青（Ｂ）の各色に対応する「１フレーム期間」に「バックライト」が、対応する各色で発光（点滅）し、色毎、つまり、「赤（Ｒ）ビデオ用」，「緑（Ｇ）ビデオ用」，「青（Ｂ）ビデオ用」の各ビデオ信号毎の表示がなされていることは自明なことである。よって、引用発明における「１フレーム期間」が、本願補正発明における「デ−タ表示期間」に相当するといえる。
ウ　引用発明において、「Ｒ，Ｇ，Ｂ，Ｇの順でリフレッシュを行なう場合、Ｒ，Ｂのリフレッシュを３０Ｈｚに設定すると、（Ｇは２倍の６０Ｈｚになり、フリッカは悪化しない）、１フレームは１／（３０×４）［秒］とな」るから、上記「Ｒ，Ｇ，Ｂ，Ｇの順でリフレッシュを行なう場合」の各色に対応する１フレームが、全て「１／（３０×４）［秒］」であることが、本願補正発明における「前記各色の１回のデ−タ表示期間を全て等しくする」ことに相当する。
　
エ　上記「ア」で述べたとおり、引用発明における「ＬＣＤモジュール」は、「カラーフィールド順次駆動を行」なうものであって、赤（Ｒ），緑（Ｇ），青（Ｂ）の各色に対応する「１フレーム期間」に、「バックライト」が対応する各色で発光（点滅）し、色毎の表示がなされていることが明らかである。よって、
（ア）引用発明における「ＬＣＤモジュール」が、上記「Ｒ，Ｇ，Ｂ，Ｇの順でリフレッシュを行なう場合」の各色に対応する「１フレーム期間」（すなわち「１／（３０×４）［秒］）の間に、赤（Ｒ），緑（Ｇ），青（Ｂ）の各色に対応する色で「バックライト」が発光（点滅）することと、本願補正発明における「前記３色の光源の１回の点灯時間を、前記データ表示期間の前半に表示素子が動作温度範囲を拡大しても応答する時間を確保するために前記３色の光源の全てを消灯し、前記データ表示期間の後半に前記３色の光源を前記表示データの色に合わせて点灯」することとは、「前記３色の光源の１回の点灯時間を、前記データ表示期間内とし、前記３色の光源を前記表示データの色に合わせて点灯」する点で共通する。
（イ）引用発明における「Ｒ，Ｇ，Ｂ，Ｇの順でリフレッシュを行なう場合、Ｒ，Ｂのリフレッシュを３０Ｈｚに設定すると、（Ｇは２倍の６０Ｈｚになり、フリッカは悪化しない）、１フレームは１／（３０×４）［秒］とな」ることは、「Ｒ，Ｇ，Ｂ，Ｇの順」で「ＬＣＤモジュール」が「カラーフィールド順次駆動を行」なうことを意味し、赤（Ｒ）に対応する「１フレーム期間」から、次の赤（Ｒ）に対応する「１フレーム期間」までの間に、「緑（Ｇ）に対応する「１フレーム期間」「Ｇ」を２回設けることになるから、本願補正発明における「前記赤のデ−タ表示期間から次の前記赤のデ−タ表示期間までの間に、前記緑のデ−タ表示期間を２回設け、動作温度範囲を拡大してもユ−ザがフリッカーを感じ難くする」こととは、「前記赤のデ−タ表示期間から次の前記赤のデ−タ表示期間までの間に、前記緑のデ−タ表示期間を２回設け、ユ−ザがフリッカーを感じ難くする」点で共通する。
　以上から、本願補正発明と引用発明との一致点及び相違点は、次のとおりである。
（一致点）
「赤、緑、青の３色の光源の点滅と、これら３色の光源の点滅に同期して各色の表示デ−タを表示する表示素子との組み合わせによりカラー表示を行うカラー表示装置において、
　前記各色の１回のデ−タ表示期間を全て等しくすると共に、前記３色の光源の１回の点灯時間を、前記データ表示期間内とし、前記３色の光源を前記表示データの色に合わせて点灯し、
　前記赤のデ−タ表示期間から次の前記赤のデ−タ表示期間までの間に、前記緑のデ−タ表示期間を２回設け、ユ−ザがフリッカーを感じ難くすることを特徴とするカラー表示装置。」
（相違点１）
　本願補正発明では、「動作温度範囲を拡大すると前記表示素子の応答が遅くなる特性を持」っているのに対し、引用発明では、「液晶」を用い、「アクティブマトリックス駆動」により「液晶への書き込みを行なう」こと、及び「液晶」に「応答時間」が存在することが示されているものの、「液晶への書き込み」に対する「液晶」の「応答」が、動作温度範囲を拡大すると遅くなるか否かは示されていない点。
（相違点２）
　本願補正発明では、「前記３色の光源の１回の点灯時間を、前記データ表示期間の前半に表示素子が動作温度範囲を拡大しても応答する時間を確保するために前記３色の光源の全てを消灯し、前記データ表示期間の後半に前記３色の光源を前記表示データの色に合わせて点灯し」ているのに対し、引用発明では、「ＬＣＤモジュール」が、「Ｒ，Ｇ，Ｂ，Ｇの順でリフレッシュを行なう場合」の各色に対応する「１フレーム期間」（すなわち「１／（３０×４）［秒］）の間に、赤（Ｒ），緑（Ｇ），青（Ｂ）の各色に対応する色で「バックライト」が発光（点滅）していることは明らかであって、しかも「１フレーム期間は１／（３０×４）［秒］となり、このとき最大転送速度（１８０Ｈｚの場合の転送速度）でデータ転送と液晶への書き込みを行うと、各フレームの垂直ブランキング期間は、１／（３０×４）−１／１８０［秒］、約２．８ｍＳとなり、この期間を液晶の応答時間やバックライトの発光のための余裕時間として利用できる。」ことは示されているものの、「１フレーム期間」（すなわち「１／（３０×４）［秒］）のどの範囲でバックライト発光（点滅）しているかは、特定されていない点。
（相違点３）
　本願補正発明では、「動作温度範囲を拡大しても」ユ−ザがフリッカーを感じ難くするために、前記赤のデ−タ表示期間から次の前記赤のデ−タ表示期間までの間に、前記緑のデ−タ表示期間を２回設けているのに対し、引用発明では、「（Ｇは２倍の６０Ｈｚになり、フリッカは悪化しない）」ようにするため、「Ｒ，Ｇ，Ｂ，Ｇの順」で「ＬＣＤモジュール」が「カラーフィールド順次駆動を行」なっていることから、赤（Ｒ）に対応する「１フレーム期間」から、次の赤（Ｒ）に対応する「１フレーム期間」までの間に、「緑（Ｇ）に対応する「１フレーム期間」「Ｇ」を２回設けていることは明らかであるものの、「フリッカ」が「悪化しない」よう「Ｒ，Ｇ，Ｂ，Ｇの順」で「ＬＣＤモジュール」が「カラーフィールド順次駆動を行」なう構成を採用する根拠として、「動作温度範囲を拡大」することは考慮されていない点。
（４）　判断
　そこで、上記相違点について検討すると、
ア　相違点１について
　液晶表示装置における液晶の温度に対する応答時間が、温度が低くなる程に遅くなることは、周知の事項である（例えば、周知例１、上記「（２）イ」参照）。
　そして、引用発明の「ＬＣＤモジュール」は液晶表示装置であるから、引用発明における「ＬＣＤモジュール」の「液晶」が、本願補正発明と同様に、動作温度範囲を拡大すると、「応答時間」が遅くなる特性をもつと認識すること、つまり、当業者が上記相違点１に係る本願補正発明の認識を持つことは、当業者が容易になし得たことである。
イ　相違点２について
「色順次液晶表示装置において、三原色のうち各原色の光源を、時間的セグメントの前部には、ＬＣＤのピクセル要素が光透過状態にセットされるまで光源をスイッチオフした状態とし、時間的セグメントの後部に、該当する色の光源を短い時間のあいだ付勢する技術。」は周知技術（例えば、周知例２、周知例３，上記「（２）ウ」、「（２）エ」参照、。）である。
　そして、引用発明には、「最大転送速度（１８０Ｈｚの場合の転送速度）でデータ転送と液晶への書き込みを行なうと、各フレームの垂直ブランキング期間は、１／（３０×４）−１／１８０［秒］、約２．８ｍＳになり、この期間を液晶の応答時間やバックライトの発光のための余裕時間として利用できる」こと、つまり、データ転送とバックライトの発光の間に、各フレームにおいて、液晶の応答時間を設ける必要のあることが示唆されているから、引用発明に、カラーフィールド順次駆動を行う液晶表示装置に係る上記周知技術を適用し、引用発明において「１フレーム期間」（すなわち「１／（３０×４）［秒］）の前部で「バックライト」をスイッチオフ（消灯）し、「１フレーム期間」の後部で「バックライト発光（点滅）」させるようにすること、及び、これにより、「バックライト発光（点滅）」の行われる前の「１フレーム期間」の前部でデータ転送と、動作温度範囲の拡大に伴う液晶の応答時間の確保を行なうようにすることは、当業者が容易になし得たことである。
　そして、「バックライト」の点灯時間は、使用する液晶の特性や、表示に必要な光量などを考慮して、当業者が適宜設定すればよい事項であるから、引用発明に上記周知技術を適用する際に、前記「前部」、「後部」を、それぞれ「前半」、「後半」として、上記相違点２に係る本願補正発明の構成とすることは、当業者が容易になし得たことである。
ウ　相違点３について
　引用例の段落【００５０】に記載されているとおり、カラーフィールド順次方式において、フリッカー（ちらつき）は、ユーザがフリッカーを最も感じやすい緑（Ｇ）の周波数に支配されるものである。そこで、引用発明では、「Ｒ，Ｇ，Ｂ，Ｇの順」で「ＬＣＤモジュール」が「カラーフィールド順次駆動を行」なう構成を採用しているのであるから、引用発明において動作温度範囲の拡大による液晶の応答の遅れを考慮し、各色の「１フレーム期間」を長くしたとしても、ユーザがフリッカーを最も感じやすい「Ｇ」（緑）が、「Ｒ」（赤）、「Ｂ」（青）より高頻度でリフレッシュされることに変わりはなく、ユーザーは、「Ｒ，Ｇ，Ｂの順」で「ＬＣＤモジュール」が「カラーフィールド順次駆動を行」なった場合に比し、フリッカーを感じ難くなっていることは、当業者が容易に予測し得ることである。
　よって、引用発明において動作温度範囲の拡大に伴う「液晶」の応答の遅れを考慮しつつ、ユ−ザがフリッカーを感じ難くし、上記相違点３に係る本願補正発明の構成とすることは、当業者が容易になし得たことである。
　そして、上記相違点を総合的に判断しても、本願補正発明が奏する効果は、引用発明、引用例に記載された技術、周知の事項及び周知技術から当業者が予測できたものであって格別なものとはいえない。
　したがって、本願補正発明は、引用発明、引用例に記載された技術、周知の事項及び周知技術に基づいて当業者が容易に発明をすることができたものであるから、特許法第２９条第２項の記載により特許出願の際独立して特許を受けることができない。
（５）　本件補正についてのむすび
　以上のとおり、請求項１に係る本件補正は、特許法第１７条の２第４項第１〜４号に掲げる事項を目的とするものではなく、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。 
 　仮に、請求項１に係る本件補正が、特許法第１７条の２第４項第２号（特許請求の範囲の減縮）に掲げる事項を目的とするものであったとしても、本件補正後の請求項１に係る発明は、特許法第２９条第２項の規定により、特許出願の際独立して特許を受けることができないものである。したがって、本件補正は、平成１８年改正前特許法第１７条の２第５項において準用する同法第１２６条第５項の規定に違反するので、同法第１５９条第１項の規定において読み替えて準用する同法第５３条第１項の規定により却下すべきものである。 
　なお、仮に、上記「２　補正の適否」の「ウ」に係る本件補正が明瞭でない記載の釈明を目的としたものであるとしても、「ア」、「イ」、「エ」及び「オ」に係る本件補正は特許請求の範囲の減縮を目的としたものであるから、上記判断は変わらない。
第３　本願発明について
１　本願発明
　平成２７年１１月２５日にされた手続補正は、上記のとおり却下されたので、本願の請求項１ないし１４に係る発明は、出願当初の特許請求の範囲の請求項１ないし１４に記載された事項により特定されるとおりのものであるところ、その請求項１に係る発明（以下、「本願発明」という。）は、上記「第２［理由］１（１）」に記載したとおりのものである。再掲すれば、次のとおり。
「【請求項１】
　赤、緑、青の３色の光源の点滅と、これら３色の光源の点滅に同期して各色のデ−タを表示する表示素子との組み合わせによりカラー表示を行うカラー表示装置において、
　前記各色の１回のデ−タ表示期間を全て等しくすると共に、前記３色の光源の１回の点灯時間を前記データ表示期間の半分として前記データ表示期間の後半に前記３色の光源を点灯し、
　前記赤のデ−タ表示期間から次の前記赤のデ−タ表示期間までの間に、前記緑のデ−タ表示期間を２回設け、動作温度範囲を拡大してもユ−ザがフリッカーを感じ難くすることを特徴とするカラー表示装置。」
２　分割要件
　本願は、特許法第４４条第１項の規定による新たな特許出願（分割出願）であるとされているから、本願が適法に分割されたものであるか否かを検討する。
（１）　本願特許請求の範囲の記載
　本願の請求項１の記載は、上記「１　本願発明」に記載したとおりものである。
　上記記載によれば、請求項１記載の「カラー表示装置」は、「赤、緑、青の３色の光源の点滅」について「前記３色の光源の１回の点灯時間を前記データ表示期間の半分」とすること含むものである。
（２）　原出願の記載事項
　原出願の願書に最初に添付した明細書又は図面（以下、「原出願の当初明細書等」という。）には「光源」の「点滅」、「光源」の「点灯」及び「データ」の「表示」に関して、以下の記載がある（下線は、当審で付与したものである。）。
ア　「【特許請求の範囲】
【請求項１】
赤、緑、青の３色の光源の点滅と、これら３色の光源の点滅に同期して
データを表示する表示素子
  
前記赤の光源が点灯してから次に前記赤の光源が点灯するまでの間に、前記緑の光源が２回点滅すること
【請求項２】
赤、緑、青の３色の光源の点滅と、これら３色の光源の点滅に同期して
データを表示する表示素子
 
 前記青の光源が点灯してから次に前記青の光源が点滅する間に、前記緑の光源が２回点滅すること
【請求項３】
赤、緑、青の３色の光源の点滅と、これら３色の光源の点滅に同期して
データを表示する表示素子
  
前記赤、緑、青の光源の点滅を赤、緑、青、緑の順に行い、この赤、緑、青、緑の点滅を１周期として、
【請求項４】
赤、緑、青の３色の光源の点滅と、これら３色の光源の点滅に同期して
データを表示する表示素子
  
前記赤、緑、青の光源の点滅を青、緑、赤、緑の順に行い、この青、緑、赤、緑の点滅を１周期として、
【請求項５】
赤、緑、青の３色の光源の点滅と、これら３色の光源の点滅に同期して
データを表示する表示素子
  
前記赤、緑、青の光源の点滅を緑、青、緑、赤の順に行い、この緑、青、緑、赤の点滅を１周期として、
【請求項６】
赤、緑、青の３色の光源の点滅と、これら３色の光源の点滅に同期して
データを表示する表示素子
  
前記赤、緑、青の光源の点滅を緑、赤、緑、青の順に行い、この緑、赤、緑、青の点滅を１周期として、
【請求項７】前記表示素子が、反射型又は透過型のモノクロ表示素子である、請求項１〜６のいずれか一項のカラー表示装置。
【請求項８】前記カラー表示装置が、フィールドシーケンシャルカラー方式の表示装置である、請求項１〜６のいずれか一項のカラー表示装置。
【請求項９】
赤、緑、青の３色の光源の点滅に同期して
データを表示素子により表示させる
  
前記赤の光源が点灯してから次に赤の光源が点灯するまでの間に、前記緑の光源を２回点滅させる
【請求項１０】
赤、緑、青の３色の光源の点滅に同期して
データを表示素子により表示させる
  
前記青の光源の点灯してから次に青の光源が点灯するまでの間に、前記緑の光源を２回点滅させる
【請求項１１】
赤、緑、青の３色の光源を次々に点滅させるのに同期して
データを表示素子により表示させる
  
前記赤、緑、青の光源を赤、緑、青、緑の順に点滅させ、この赤、緑、青、緑の点滅を１周期として、この周期を繰り返すように、前記赤、緑、青の光源を点滅をさせる
【請求項１２】
赤、緑、青の３色の光源を次々に点滅させるのに同期して
データを表示素子により表示させる
 
 前記赤、緑、青の光源を青、緑、赤、緑の順に点滅させ、この青、緑、赤、緑の点滅を１周期として、この周期を繰り返すように、前記赤、緑、青の光源を点滅をさせる
【請求項１３】
赤、緑、青の３色の光源を次々に点滅させるのに同期して
データを表示素子により表示させる
  
前記赤、緑、青の光源を緑、青、緑、赤の順に点滅させ、この緑、青、緑、赤の点滅を１周期として、この周期を繰り返すように、前記赤、緑、青の光源を点滅をさせる
【請求項１４】
赤、緑、青の３色の光源を次々に点滅させるのに同期して
データを表示素子により表示させる
  
前記赤、緑、青の光源を緑、赤、緑、青の順に点滅させ、この緑、赤、緑、青の点滅を１周期として、この周期を繰り返すように、前記赤、緑、青の光源を点滅をさせる
【請求項１５】前記カラー表示方法がフィールドシーケンシャル方式の表示方法からなる、請求項９〜１４のいずれか一項のカラー表示方法。
【請求項１６】
赤、緑、青の３色の光源の点滅と、これら３色の光源の点滅に同期して
データを表示する表示素子
  
赤、緑、青の３色の光源の点滅の１周期に、緑の光源を複数回点滅させる
イ　「背景技術
  カラーフィルタ無しでカラー表示を行う代表的な方法としてフィールドシーケンシャル方式のカラー表示方法が知られている。このフィールドシーケンシャル方式は、赤、緑、青の３色の光源と、モノクロ表示素子とを備え、
３色の光源の点滅を高速に切り替えながら、
データをモノクロ表示素子で表示
  この種のカラーフィルタ無しのカラー表示装置は、液晶ディスプレイに適用され、また、他にも、例えばプロジェクタにおいては単板で３板式と同等の解像度を達成でき、光学系も単純になるなどの利点により製品化されている。また、目に直接装着するようなヘッドマウントディスプレイにおいても、小型で高解像度のカラー表示が可能なことからフィールドシーケンシャル方式を用いたカラー表示装置が発表されている。
  従来のフィールドシーケンシャル方式を用いたカラー表示方法にあっては、第２図に示すように、
赤、緑、青の光源を一回ずつ順に点滅させて、
  フィールドシーケンシャル方式のようにカラーフィルタ無しのカラー表示では、非常に高速に切り替え可能な表示素子が必要となるが、素子の解像度を上げたり、動作温度範囲を広げようとすると表示素子の応答が遅くなる傾向にある。このため、表示素子の側からは、その切り替え周期を長くしたいという要請がある。
  フィールドシーケンシャル方式を用いたカラー表示装置において、ユーザにフリッカーを感じさせないようにするには、
赤、緑、青の各光源の点滅周期を１／６０秒よりも短くする
　そこで、本発明の目的は、表示素子の表示切り替え周期を長くしてもフリッカーの問題の発生を回避することのできるカラー表示方法及び装置を提供することにある。」
ウ　「発明の開示
  上記の課題は、本発明の一つの局面によれば、
赤、緑、青の３色の光源の点滅と、これら３色の光源の点滅に同期して
データを表示する表示素子
前記赤の光源が点灯してから次に前記赤の光源が点灯するまでの間に、前記緑の光源が２回点滅する
  本発明の他の局面によれば、
赤、緑、青の３色の光源の点滅と、これら３色の光源の点滅に同期して
データを表示する表示素子
前記青の光源が点灯してから次に前記青の光源が点滅する間に、前記緑の光源が２回点滅する
  また、本発明の別の局面によれば、
赤、緑、青の３色の光源の点滅と、これら３色の光源の点滅に同期して
データを表示する表示素子
前記赤、緑、青の光源の点滅を赤、緑、青、緑の順に行い、この赤、緑、青、緑の点滅を１周期として、
前記赤、緑、青の光源の点滅
  
赤、緑、青の光源の点滅の１周期を、
  また、上記の課題は、本発明の更に別の局面によれば、
赤、緑、青の３色の光源の点滅に同期して
データを表示素子により表示
前記赤の光源が点灯してから次に赤の光源が点灯するまでの間に、前記緑の光源を２回以上点滅させる
  本発明の別の局面によれば、
赤、緑、青の３色の光源の点滅に同期して
データを表示素子により表示
前記青の光源の点灯してから次に青の光源が点灯するまでの間に、前記緑の光源を２回以上点滅させる
  本発明の他の局面によれば、
赤、緑、青の３色の光源を次々に点滅させるのに同期して
データを表示素子により表示
、前記赤、緑、青の光源を赤、緑、青、緑の順に点滅させ、この赤、緑、青、緑の点滅を１周期として、この周期を繰り返すように、前記赤、緑、青の光源を点滅
  本発明に従うカラー表示方法にあっては、
赤、緑、青の光源の点滅の１周期を
エ　「発明を実施するための最良の形態
  第１図は、本発明の好ましい実施の形態について、表示素子の光透過率と
赤、緑、青の光源の点滅
  この実施の形態は、本発明をフィールドシーケンシャル方式のカラー表示に適用したものであり、具体的な製品としては、プロジェクタの液晶ディスプレイ、ヘッドマウントディスプレイなどがある。
  フィールドシーケンシャル方式のカラー表示にあっては、既知のように、
赤、青、緑の３色の光源と、各光源の点滅に同期して
  本発明の好ましい実施の形態では、従来の
赤、緑、青の光源が１周期にそれぞれ１回ずつ点滅
緑を１周期内に例えば２回ずつ点滅させて、
各光源の点滅が行われる。
緑の点滅周期は、赤および青の点滅周期の１／２倍になる。
  この好ましい実施の形態に関し、本発明の発明者は、ユーザがフリッカーを感じる周波数は赤、緑、青の色によって大きく異なる点に着目したものである。すなわち、赤および青については、これらの色の
各光源の点滅周期が約３０ヘルツ以上
緑の点滅に対して
  したがって、本発明の実施の形態では、赤→緑→青→緑又は青→緑→赤→緑で１周期であるため、この１周期を、例えば１／３０秒に設定すれば、
赤および青の点滅周波数が３０ヘルツとなり、緑の点滅周波数が６０ヘルツとなる。
　つまり、本発明の好ましい実施の形態によれば、従来フリッカーを感じなくなる限界とされた１／１８０秒よりも、モノクロ表示素子の表示切り替え周期を長くすることができる。したがって、表示素子の高解像度化や動作温度範囲を拡大してもフリッカーを効果的に防止することができる他に、この表示素子の切り替え周期が長くなることによって消費電力を抑えることも可能となる。」
オ　「【図面の簡単な説明】
  第１図は、本発明の表示素子の光透過率と、
赤、緑、青の光源の点滅
  第２図は従来の表示索子の光透過率と、
赤、緑、青の光源の点滅
カ　第１図には、横軸を時間として、光透過率と、赤、緑、青光源の点灯及び消灯の時間的な関係が示されている
（３）　分割の適否の判断
　上記「（２）ア〜カ」の記載によれば、原出願の当初明細書等には、「表示素子の表示切り替え周期を長くしてもフリッカーの問題の発生を回避することのできるカラー表示方法及び装置を提供する」ために、「前記赤の光源が点灯してから次に前記赤の光源が点灯するまでの間に、前記緑の光源が２回点滅する」ことにより、「モノクロ表示素子の表示切り替え周期を長くすることができる」ことは記載されているものの「３色の光源の１回の点灯時間をデータ表示期間の半分として」は記載されていない。原出願の当初明細書等には、「データ表示期間」との用語は用いられていないが、仮に「モノクロ表示素子の表示切り替え周期」を「データ表示期間」としても、データ表示期間において光源を点灯することは読み取ることができるものの、データ表示期間を同じ時間長さを有する２つの期間に分割して、「データ表示期間の半分」の長さである「後半」に光源を点灯することは読み取ることができない。
　また、第１図には、横軸を時間として、光透過率と、赤、緑、青光源の点灯及び消灯の時間的な関係が示されているが、横軸に時間の目盛りが付されているわけではないから、第１図は、発明の詳細な説明における理解を助けるための説明図に過ぎないものと認められる。従って、第１図は、点灯時間及び消灯時間を正確に示したものとは認められない。さらに、第１図には「データ表示期間」が記載されておらず（なお、原出願の願書に最初に添付した明細書にも「データ表示期間」との用語は用いられていない。）、「データ表示期間」と赤、緑、青光源の点灯時間及び消灯時間との関係が不明であるが、仮に、一の光源（例えば、赤光源）の点灯終了から、他の光源（例えば、緑光源）の点灯終了までを「データ表示期間」としても、データ表示期間の後部の期間において光源を点灯することは読み取ることができるものの、データ表示期間を同じ時間長さを有する２つの期間に分割して、「データ表示期間の半分」の長さである「後半」に光源を点灯することは読み取ることができない。
　そうすると、原出願の当初明細書等には、本願発明に記載された「前記３色の光源の１回の点灯時間を前記データ表示期間の半分」とすることが記載されているとは認められない。
　したがって、本願発明は、原出願の当初明細書等のすべての記載を総合することにより導かれる技術的事項との関係において新たな技術的事項を導入するものであるから、本願は特許法第４４条第１項により適法に分割出願されたものではない。 
 　 
３　本願出願日 
 　以上のとおり、本願は適法に分割されたものではないから、特許法第４４条第２項本文の適用はなく、本願の出願日は現実の出願日である平成２６年３月１２日である。 
 　また、本願の出願日は、優先権主張の基礎となる出願とされている特願２０００−１７００８５号（出願日：平成１２年６月７日）の出願日から１年を超えているから、優先権主張を認めることはできない。 
４　引用例、周知例及びその記載事項
　原査定の拒絶の理由で引用された引用例及び周知例、その記載事項は、上記「第２［理由］２（２）」に記載したとおりである。
５　対比
　本願発明と引用発明とを対比する。
ア　引用発明では、「ＰＣシステム側」の「ビデオコントローラ２２０」は「色をフレーム単位で切り替えながら転送」を行ない、「ＬＣＤコントローラ」は、「ビデオ・コントローラ２２０からのビデオ信号」を「ソース・ドライバ」に「そのまま転送し」、「ソース・ドライバは、１つの画素を兼用してＲ／Ｇ／Ｂ用に利用するので、必要な出力数は１／３」なり、「カラーフィルタ無しのパネル（白黒のパネル）」、つまり「画素１０を３つのサブ画素に分ける必要がなく、カラーフィルタも無いため、光の透過率が高い構造」の「白黒用ＴＦＴ」を用いて、「アクティブマトリックス駆動」による「液晶への書き込み」と、「バックライトの発光」とにより、「カラーフィールド順次駆動を行」なっている。
　つまり、引用発明では、「白黒用ＴＦＴ」を用い、「色をフレーム単位で切り替えながら転送」された「ビデオ信号」で、「Ｒ／Ｇ／Ｂ用」に「兼用」される「１つの画素」に対し、「アクティブマトリックス駆動」によって「液晶への書き込み」をし、「バックライト」を「発光」させて「カラーフィールド順次駆動を行」なっている。
　そして、引用例１の段落【００４６】に記載されているとおり、「従来技術におけるカラー順次方式の液晶ディスプレイ」とは、「赤（Ｒ），緑（Ｇ），青（Ｂ）各色毎に順次標示を行い、少なくとも３色をもって一枚の絵を完結するカラー表示方法」（当審注：「標示」は「表示」の誤記である。）であって、各「単色」は、「フレーム周波数で点滅する」ものであることを踏まえれば、「Ｒ／Ｇ／Ｂ用」に「兼用」される「１つの画素」に対し、「アクティブマトリックス駆動」によって「液晶への書き込み」をし、「バックライト」を「発光」させて「カラーフィールド順次駆動を行」なっている引用発明において、「バックライト」は、赤（Ｒ），緑（Ｇ），青（Ｂ）の各色ごとの発光が可能である必要のあること、及び、赤（Ｒ），緑（Ｇ），青（Ｂ）の各色に対応する「１フレーム期間」（カラーフィールド順次駆動における、１フィールド期間に相当する。以下同じ。）に、「バックライト」が対応する各色で発光（点滅）し、色毎の表示がなされていることは自明なことであるといえる。
　よって、引用発明における「バックライト」が、本願発明における「赤、緑、青の３色の光源」に相当するといえる。
　また、引用発明における「フレーム単位で切り替えながら転送を行」なわれる、「赤（Ｒ）ビデオ用」，「緑（Ｇ）ビデオ用」，「青（Ｂ）ビデオ用」の各ビデオ信号が、本願発明における「各色の表示デ−タ」に相当するといえる。
　さらに、引用発明における「白黒用ＴＦＴ」（１つの画素を兼用してＲ／Ｇ／Ｂ用に利用する）を用いて「アクティブマトリックス駆動」される「液晶」を構成要素とする「ＬＣＤモジュール」は、「カラーフィールド順次駆動を行」なうものであって、赤（Ｒ），緑（Ｇ），青（Ｂ）の各色に対応する「１フレーム期間」に、「バックライト」が対応する各色で発光（点滅）し、色毎の表示がなされていることは明らかであるから、本願発明における「赤、緑、青の３色の光源の点滅と、これら３色の光源の点滅に同期して各色の表示デ−タを表示する表示素子との組み合わせによりカラー表示を行うカラー表示装置」に相当するといえる。
　
イ  上記「ア」で述べたとおり、引用発明における「アクティブマトリックス駆動」の「ＬＣＤモジュール」は、赤（Ｒ），緑（Ｇ），青（Ｂ）の各色に対応する「１フレーム期間」に「バックライト」が、対応する各色で発光（点滅）し、色毎、つまり、「赤（Ｒ）ビデオ用」，「緑（Ｇ）ビデオ用」，「青（Ｂ）ビデオ用」の各ビデオ信号毎の表示がなされていることは自明なことである。よって、引用発明における「１フレーム期間」が、本願発明における「デ−タ表示期間」に相当するといえる。
ウ　引用発明において、「Ｒ，Ｇ，Ｂ，Ｇの順でリフレッシュを行なう場合、Ｒ，Ｂのリフレッシュを３０Ｈｚに設定すると、（Ｇは２倍の６０Ｈｚになり、フリッカは悪化しない）、１フレームは１／（３０×４）［秒］とな」るから、上記「Ｒ，Ｇ，Ｂ，Ｇの順でリフレッシュを行なう場合」の各色に対応する１フレームが、全て「１／（３０×４）［秒］」であることが、本願発明における「前記各色の１回のデ−タ表示期間を全て等しくする」ことに相当する。
　
エ　上記「ア」で述べたとおり、引用発明における「ＬＣＤモジュール」は、「カラーフィールド順次駆動を行」なうものであって、赤（Ｒ），緑（Ｇ），青（Ｂ）の各色に対応する「１フレーム期間」に、「バックライト」が対応する各色で発光（点滅）し、色毎の表示がなされていることが明らかである。よって、
（ア）引用発明における「ＬＣＤモジュール」が、上記「Ｒ，Ｇ，Ｂ，Ｇの順でリフレッシュを行なう場合」の各色に対応する「１フレーム期間」（すなわち「１／（３０×４）［秒］）の間に、赤（Ｒ），緑（Ｇ），青（Ｂ）の各色に対応する色で「バックライト」が発光（点滅）することと、本願発明における「前記３色の光源の１回の点灯時間を前記データ表示期間の半分として前記データ表示期間の後半に前記３色の光源を点灯」することとは、「前記３色の光源の１回の点灯時間を、前記データ表示期間内とし、前記３色の光源を点灯」する点で共通する。
（イ）引用発明における「Ｒ，Ｇ，Ｂ，Ｇの順でリフレッシュを行なう場合、Ｒ，Ｂのリフレッシュを３０Ｈｚに設定すると、（Ｇは２倍の６０Ｈｚになり、フリッカは悪化しない）、１フレームは１／（３０×４）［秒］とな」ることは、「Ｒ，Ｇ，Ｂ，Ｇの順」で「ＬＣＤモジュール」が「カラーフィールド順次駆動を行」なうことを意味し、赤（Ｒ）に対応する「１フレーム期間」から、次の赤（Ｒ）に対応する「１フレーム期間」までの間に、「緑（Ｇ）に対応する「１フレーム期間」「Ｇ」を２回設けることになるから、本願発明における「前記赤のデ−タ表示期間から次の前記赤のデ−タ表示期間までの間に、前記緑のデ−タ表示期間を２回設け、動作温度範囲を拡大してもユ−ザがフリッカーを感じ難くする」こととは、「前記赤のデ−タ表示期間から次の前記赤のデ−タ表示期間までの間に、前記緑のデ−タ表示期間を２回設け、ユ−ザがフリッカーを感じ難くする」点で共通する。
   以上から、本願発明と引用発明との一致点及び相違点は、次のとおりである。
（一致点）
「赤、緑、青の３色の光源の点滅と、これら３色の光源の点滅に同期して各色の表示デ−タを表示する表示素子との組み合わせによりカラー表示を行うカラー表示装置において、
　前記各色の１回のデ−タ表示期間を全て等しくすると共に、前記３色の光源の１回の点灯時間を、前記データ表示期間内とし、前記３色の光源を点灯し、
　前記赤のデ−タ表示期間から次の前記赤のデ−タ表示期間までの間に、前記緑のデ−タ表示期間を２回設け、ユ−ザがフリッカーを感じ難くすることを特徴とするカラー表示装置。」
（相違点１）
　本願発明では、「前記３色の光源の１回の点灯時間を前記データ表示期間の半分として前記データ表示期間の後半に前記３色の光源を点灯し」ているのに対し、引用発明では、「ＬＣＤモジュール」が、「Ｒ，Ｇ，Ｂ，Ｇの順でリフレッシュを行なう場合」の各色に対応する「１フレーム期間」（すなわち「１／（３０×４）［秒］）の間に、赤（Ｒ），緑（Ｇ），青（Ｂ）の各色に対応する色で「バックライト」が発光（点滅）していることは明らかであって、しかも「１フレーム期間は１／（３０×４）［秒］となり、このとき最大転送速度（１８０Ｈｚの場合の転送速度）でデータ転送と液晶への書き込みを行うと、各フレームの垂直ブランキング期間は、１／（３０×４）−１／１８０［秒］、約２．８ｍＳとなり、この期間を液晶の応答時間やバックライトの発光のための余裕時間として利用できる。」ことは示されているものの、「１フレーム期間」（すなわち「１／（３０×４）［秒］）のどの範囲でバックライト発光（点滅）しているかは、特定されていない点。
（相違点２）
　本願発明では、「動作温度範囲を拡大しても」ユ−ザがフリッカーを感じ難くするために、前記赤のデ−タ表示期間から次の前記赤のデ−タ表示期間までの間に、前記緑のデ−タ表示期間を２回設けているのに対し、引用発明では、「（Ｇは２倍の６０Ｈｚになり、フリッカは悪化しない）」ようにするため、「Ｒ，Ｇ，Ｂ，Ｇの順」で「ＬＣＤモジュール」が「カラーフィールド順次駆動を行」なっていることから、赤（Ｒ）に対応する「１フレーム期間」から、次の赤（Ｒ）に対応する「１フレーム期間」までの間に、「緑（Ｇ）に対応する「１フレーム期間」「Ｇ」を２回設けていることは明らかであるものの、「フリッカ」が「悪化しない」よう「Ｒ，Ｇ，Ｂ，Ｇの順」で「ＬＣＤモジュール」が「カラーフィールド順次駆動を行」なう構成を採用する根拠として、「動作温度範囲を拡大」することは考慮されていない点。
６　判断
　そこで、上記相違点について検討すると、
（１）　相違点１について
「色順次液晶表示装置において、三原色のうち各原色の光源を、時間的セグメントの前部には、ＬＣＤのピクセル要素が光透過状態にセットされるまで光源をスイッチオフした状態とし、時間的セグメントの後部に、該当する色の光源を短い時間のあいだ付勢する技術。」は周知技術（例えば、周知例２、周知例３，上記「第２　[理由]２（２）ウ」、「第２　[理由]２（２）エ」参照。）である。
　ここで、引用発明と周知技術とは、液晶表示装置においてカラーフィールド順次駆動を行う技術である点で共通するから、引用発明に上記周知技術を適用し、引用発明において、「１フレーム期間」の前部で「バックライト」を消灯し、「１フレーム期間」の後部で「バックライト」を点灯することは、当業者が容易に想到し得たことである。
　そして、「バックライト」の点灯時間は、使用する液晶の特性や、表示に必要な光量などを考慮して、当業者が適宜設定すればよい事項であるから、引用発明に上記周知技術を適用する際に、「バックライト」の１回の点灯時間を「１フレーム期間」の半分とし、上記相違点１に係る本願発明の構成とすることは、当業者が容易になし得たことである。
（２）　相違点２について
　本願発明と引用発明との相違点２は、本願補正発明と引用発明との相違点３と同一であるから、上記相違点２については、上記「第２　［理由］２（４）　（相違点３）について」で検討したとおり、当業者が容易になし得たことである。
　そして、上記相違点を総合的に判断しても、本願発明が奏する効果は、引用発明、引用例に記載された技術、周知の事項及び周知技術から当業者が予測できたものであって格別なものとはいえない。
　したがって、本願発明は、引用発明、引用例に記載された技術、周知の事項及び周知技術に基づいて当業者が容易に発明をすることができたものであるから、特許法第２９条第２項の記載により特許出願の際独立して特許を受けることができない。
７　むすび
　以上のとおり、本願発明は、特許法第２９条第２項の規定により、特許を受けることができないから、その余の請求項に係る発明について検討するまでもなく、本願は拒絶すべきものである。 
 　よって、結論のとおり審決する。